(57)【要約】【課題】  ペットボトル等の容器の口部にモータを組み込み、当該モータを利用して容器を飛行玩具又は走行玩具にすることができるモータ装着ケースを提供する。【解決手段】  モータ装着ケース１は、容器３１の口部３２内に取り付けられる。ケース本体２は、底壁３と、底壁３の周縁に形成された保持枠５と、保持枠５の上端に形成された係止縁６とからなる。係止縁６の内側には、モータ２１をケース本体２内に挿入する開口７が形成されている。保持枠５は、ケース本体２内のモータ２１を保持するように構成されている。係止縁６は、容器３１の口部３２の上端３３に係止され、且つ口部３２に螺着されるキャップ３５と口部３２の上端３３によって挟持される形状に形成されている。【選択図】図１
2011193994.tif 000002
【特許請求の範囲】
【請求項１】
ペットボトル等の容器の口部内に取り付けられるモータ装着ケースであって、
ケース本体は、
底壁と、
底壁の周縁に形成された保持枠と、
保持枠の上端に形成された係止縁とからなり、
係止縁の内側には、モータをケース本体内に挿入することができる開口が形成され、
保持枠は、ケース本体内のモータの外周面に当接してモータを保持するように構成され、
係止縁は、容器の口部の上端に係止され、且つ口部に螺着されるキャップと口部の上端によって挟持される形状に形成されていることを特徴とするモータ装着ケース。
【請求項２】
保持枠には、収納されるモータの駆動軸と略平行に伸びる軸受穴が形成され、
当該軸受穴の開口は、係止縁側に形成されていることを特徴とする請求項１記載のモータ装着ケース。
【発明の詳細な説明】
【技術分野】
【０００１】
本発明は、ペットボトル等の容器の口部にモータを着脱可能に取り付けるモータ装着ケースに関する。
【背景技術】
【０００２】
従来、使用済みペットボトルを利用して、ロケット玩具や走行玩具が製作されている。ロケット玩具は、ペットボトルを胴体部として内部に水と圧縮空気を入れ、噴出口を開放すると、噴出口から水が噴出して飛び出すようになっている（例えば、特許文献１）。また、走行玩具は、ペットボトルを走行本体として前輪及び後輪を装着し、一方の前輪をフライホイールで回転させて走行するようになっている（例えば、特許文献２）。
【先行技術文献】
【特許文献】
【０００３】
【特許文献１】特開２００９−２６９５０８号公報
【特許文献２】実用新案登録第３０６８２３４号公報
【発明の概要】
【発明が解決しようとする課題】
【０００４】
上記したロケット玩具及び走行玩具は、ペットボトル本体をそのまま飛ばしたり、そのまま走行させることができないので、ペットボトル本体を切断・接着等により大幅に改良する必要があり、その改良するための工具がないと製作できないという問題点があった。また、改良するには技術と知識が必要であり、さらに、製作にある程度の時間を必要とするので、誰でもが簡単に製作することができないという問題点があった。
【０００５】
さらに、ロケット玩具は、改良したペットボトル本体内に圧縮空気を注入する手段と、ペットボトル本体内に蓄積した圧縮空気を開放する手段と、ペットボトル本体を上方に向けて安定して立設させる設置手段が必要であるが、これらの手段を準備することが面倒であるので簡単には飛行させることができず、しかも蓄積できる圧縮空気の量が少ないので、飛行距離及び飛行時間が短いという問題点があった。また、走行玩具は、改良したペットボトル本体内にフライホイール等の動力手段を設ける必要があるが、この動力手段をペットボトル本体内に組み込むことが面倒であるので、簡単には製作することができず、しかもフライホイール自体を回転させ続けることが困難であるので、走行距離及び走行時間が短いという問題点があった。
【０００６】
本願発明は、上記問題点に鑑み案出したものであって、ペットボトル等の容器の口部にモータを組み込ませることができるので、容器本体を改良することがなく誰でも簡単且つ短時間で容器玩具を製作することができ、当該モータを利用して容器玩具を飛行玩具又は走行玩具として飛行又は走行させることができ、しかも飛行時間又は走行時間を長くすることができるモータ装着ケースを提供することを目的とする。
【課題を解決するための手段】
【０００７】
本願請求項１記載のモータ装着ケースは、上記目的を達成するため、ペットボトル等の容器の口部内に取り付けられるモータ装着ケースであって、ケース本体は、底壁と、底壁の周縁に形成された保持枠と、保持枠の上端に形成された係止縁とからなり、係止縁の内側には、モータをケース本体内に挿入することができる開口が形成され、保持枠は、ケース本体内のモータの外周面に当接してモータを保持するように構成され、係止縁は、容器の口部の上端に係止され、且つ口部に螺着されるキャップと口部の上端によって挟持される形状に形成されていることを特徴とする。
【０００８】
本願請求項２記載のモータ装着ケースは、上記目的を達成するため、保持枠には、収納されるモータの駆動軸と略平行に伸びる軸受穴が形成され、当該軸受穴の開口は、係止縁側に形成されていることを特徴とする。
【発明の効果】
【０００９】
本願発明に係るモータ装着ケースは、開口からモータをケース本体内に挿入することができ、ケース本体内に挿入したモータの外周面を保持枠が当接してモータを保持する。ケース本体をペットボトル等の容器の口部内に装着すると、係止縁が容器の口部の上端に係止されて取り付けられる。モータ装着ケースは、容器のキャップを口部に螺着すると、キャップと口部の上端で係止縁が挟持され、口部内に固定される。モータの駆動軸は、キャップに透孔を形成することにより、この透孔を介して容器の外側に突出させることができる。
【００１０】
本願発明に係るモータ装着ケースは、容器本体を改良することなく、容器の口部に差し込むだけの作業で、モータを容器の口部に誰でもが簡単且つ確実に取り付けることができるので、飛行機玩具形態、走行玩具形態等の容器玩具の製作が誰でも簡単となり、さらに、容器玩具の製作時間を大幅に短縮することができるという効果がある。また、本願発明に係るモータ装着ケースは、上述したようにモータを容器の口部に確実に固定することができ、このモータの駆動力を利用して飛行、走行等の移動距離及び動作時間を従来の容器玩具より長く行わせることができるという効果がある。
【００１１】
このように、本願発明に係るモータ装着ケースは、容器の口部にモータを組み込ませることができるので容器本体を改良することがなく誰でも簡単且つ短時間で容器玩具を製作することができ、当該モータを利用して容器を飛行玩具又は走行玩具として飛行又は走行させることができ、しかも飛行時間又は走行時間を長くすることができるという効果がある。
【００１２】
本願発明に係るモータ装着ケースは、保持枠に、収納されるモータの駆動軸と略平行に伸びる軸受穴が形成され、当該軸受穴の開口は、係止縁側に形成されている。この開口から軸受穴に軸を回動可能に取り付けることができる。モータの駆動軸に駆動歯車を取り付け、軸に前記駆動歯車と噛み合う平歯車を取り付けることにより、モータの駆動軸の回転が、駆動歯車、平歯車を介して軸に伝達され、軸を回転させることができる。なお、本願発明に係るモータ装着ケースは、開口から軸受穴に軸を固定して取り付けても良い。モータの駆動軸に駆動歯車を取り付け、軸に前記駆動歯車と噛み合う平歯車を回動可能に取り付けることにより、モータの駆動軸の回転が、駆動歯車、平歯車に伝達され、平歯車を回転させることができる。本願発明に係るモータ装着ケースは、キャップと口部の上端で係止縁が挟持され、口部内に固定されるが、モータの駆動軸及び軸は、キャップに大径の円孔を形成することにより、この円孔を介して容器の外側に突出させることができる。
【００１３】
このように、本願発明に係るモータ装着ケースは、容器本体を改良することなく、容器の口部に差し込むだけの作業で、容器の口部にモータを組み込むことができ、さらにこの組み込みと同時に、モータの回転に連動する歯車機構をも取り付けることができ、当該歯車機構を利用して容器を飛行玩具又は走行玩具として飛行又は走行させることができるという効果がある。
【図面の簡単な説明】
【００１４】
【図１】本願発明に係るモータ装着ケースの一実施例を示す分解斜視図である。
【図２】本願発明に係るモータ装着ケースの使用形態を示す分解斜視図である。
【図３】本願発明に係るモータ装着ケースの装着形態を示す分解斜視図である。
【図４】本願発明に係るモータ装着ケースの装着形態を示す全体斜視図である。
【図５】図１のモータ装着ケースを上方斜めから視た斜視図である。
【図６】図１のモータ装着ケースを下方から視た斜視図である。
【図７】図１のモータ装着ケースを上方側面から視た斜視図である。
【図８】図１のモータ装着ケースを正面から視た全体正面図である。
【図９】図１のモータ装着ケースを側面から視た全体側面図である。
【図１０】モータ装着ケースの第１の利用形態を示す説明図である。
【図１１】モータ装着ケースの第２の利用形態を示す説明図である。
【図１２】本願発明に係るモータ装着ケースの他の実施例を示す説明図である。
【図１３】図１２のモータ装着ケースの利用形態を示す説明図である。
【発明を実施するための形態】
【００１５】
図１，５に示すように、モータ装着ケース１は、ペットボトル等の容器３１の口部３２内に取り付けられる構成である。モータ装着ケース１のケース本体２は、合成樹脂によって一体成形され、底壁３と、底壁３の周縁に形成された保持枠５と、保持枠５の上端に形成された係止縁６とからなる。底壁３は、略円板状に形成され、略中央に係止孔１５が形成されている。
【００１６】
図２に示すように、係止縁６は、リング状に形成され、係止縁６の内側には、モータ２１を駆動軸２２の軸方向でケース本体２内に挿入することができる開口７が形成されている。保持枠５は、ケース本体２内のモータ２１の外周面（平坦面２３，２５）に当接してモータ２１を保持するように構成され、一対のガイド片１１，１２と、ガイド板１３とからなる。図３に示すように、係止縁６は、容器３１の口部３２の上端３３に係止され、口部３２の上端３３外径より小さい外径で構成されて口部３２の上端３３の外周縁の内側となり、口部３２に螺着されるキャップ３５と口部３２の上端３３によって挟持される形状に形成されている。
【００１７】
モータ装着ケース１は、開口７からモータ２１をケース本体２内に挿入することができ、ケース本体２内に挿入したモータ２１の外周面（平坦面２３，２５）を保持枠５が当接してモータ２１を保持する。即ち、モータ２１は、一方の平坦面２３がガイド板１３に当接して案内され、他方の平坦面２５が一対のガイド片１１，１２に当接して案内されて、保持枠５に保持されることになる。
【００１８】
ケース本体２をペットボトル等の容器３１の口部３２内に装着すると、係止縁６が容器３１の口部３２の上端３３に係止されて取り付けられる。モータ装着ケース１は、容器３１のキャップ３５を口部３２に螺着すると、キャップ３５と口部３２の上端３３で係止縁６が挟持され、口部３２内に固定される。モータ２１は、キャップ３５によって押さえられ、ケース本体２内から突出することがない。図４に示すように、モータ２１の駆動軸２２は、キャップ３５に透孔３６を形成することにより、この透孔３６を介して容器３１の外側に突出させることができる。
【００１９】
モータ装着ケース１は、容器本体３７を改良することなく、容器３１の口部３２に差し込むだけの作業で、モータ２１を容器３１の口部３２に誰でもが簡単且つ確実に取り付けることができるので、飛行機玩具形態（図１０参照）、走行玩具形態（図１１参照）等の容器玩具の製作が誰でも簡単となり、さらに、容器玩具の製作時間を大幅に短縮することができる。また、モータ装着ケース１は、上述したようにモータ２１を容器３１の口部３２に確実に固定することができ、このモータ２１の駆動力を利用して飛行、走行等の移動距離及び動作時間を従来の容器玩具より長く行わせることができる。
【００２０】
このように、モータ装着ケース１は、容器３１の口部３２にモータ２１を組み込ませることができるので容器本体３７を改良することがなく誰でも簡単且つ短時間で容器玩具を製作することができ、当該モータ２１を利用して容器３１を飛行玩具４０又は走行玩具５０として飛行又は走行させることができ、しかも飛行時間又は走行時間を長くすることができる。
【００２１】
なお、モータ２１には、図示しないコンデンサが装着されている。コンデンサは、モータ２１の下部に取り付けられた略コ字状の取付枠２６に取り付けられる（図１参照）。取付枠２６の下端には、前記ケース本体２の底壁３に形成された係止孔１５に係止される係止突起２７が設けられている。当該モータ２１は、前述したようにケース本体２内に挿入すると、図２に示すように、係止突起２７が底壁３の係止孔１５に係止され、一方の平坦面２３がガイド板１３に案内され、他方の平坦面２５がガイド片１１，１２に案内され、取付枠２６がガイド片１１，１２間に係合して、ケース本体２内に固定される。
【００２２】
モータ２１を装着したモータ装着ケース１をペットボトル等の容器３１の口部３２に挿入すると、係止縁６が容器３１の口部３２の上端３３に係止される。容器３１の口部３２にキャップ３５を螺着すると、係止縁６が口部３２の上端３３とキャップ３５によって挟持されるので、モータ装着ケース１は容器３１の口部３２に固定される。モータ２１の駆動軸２２は、キャップ３５の透孔３６から突出する。モータ２１は、キャップ３５によって押さえられ、ケース本体２内から飛び出ることがない。モータ装着ケース１を容器３１の口部３２に装着する前に、ゼネコン（手回し式発電機）でコンデンサを充電しておくと良い。この場合、モータ２１は、２極モータ等の手回しで回転を始めるモータであることが望ましいが、特に限定されるものではない。即ち、モータ２１は、ゼネコンの回転と同時に駆動されるものであっても構わないのは勿論である。
【００２３】
なお、図１２に示すように、モータ装着ケース１は、保持枠５に、収納されるモータ２１の駆動軸２２と略平行に伸びる軸受穴１６が形成され、当該軸受穴１６の開口１７が係止縁６側に形成されるようにしても構わない。即ち、保持枠５を形成するガイド板１３の略中央に、断面が略半円状の軸受突起１８が長手方向に伸びるようにして形成されている。軸受突起１８は、係止縁６に連接されている。軸受突起１８には、保持枠５に収納されるモータ２１の駆動軸２２と略平行となる軸受穴１６が形成されている。軸受穴１６は、係止縁６に形成された開口１７と連通している。軸受突起１８は、ガイド板１３が厚く形成されている場合には不要である。
【００２４】
モータ装着ケース１は、図１３に示すように、開口１７から軸受穴１６に軸４３を回動可能に取り付けることができる。モータ２１の駆動軸２２に駆動歯車４５を取り付け、軸４３に前記駆動歯車４５と噛み合う平歯車４６を取り付けることにより、モータ２１の駆動軸２２の回転が、駆動歯車４５、平歯車４６を介して軸４３に伝達され、軸４３を回転させることができる。なお、モータ装着ケース１は、開口１７から軸受穴１６に軸４３を固定して取り付けても良い。モータ２１の駆動軸２２に駆動歯車４５を取り付け、軸４３に前記駆動歯車４５と噛み合う平歯車４６を回動可能に取り付けることにより、モータ２１の駆動軸２２の回転が、駆動歯車４５、平歯車４６に伝達され、平歯車４６を回転させることができる。モータ装着ケース１は、キャップ３５と口部３２の上端３３で係止縁６が挟持され、口部３２内に固定されるが、モータ２１の駆動軸２２及び軸４３は、キャップ３５に大径の円孔３８を形成することにより、この円孔３８を介して容器３１の外側に突出させることができる。
【００２５】
このように、モータ装着ケース１は、容器本体３７を改良することなく、容器３１の口部３２に差し込むだけの作業で、容器３１の口部３２にモータ２１を組み込むことができ、さらにこの組み込みと同時に、モータ２１の回転に連動する歯車機構４７をも取り付けることができ、当該歯車機構４７を利用して容器３１を飛行玩具又は走行玩具として飛行又は走行させることができる。歯車機構４７は、駆動歯車４５と平歯車４６とからなるが、特にこの構成に限定されるものではない。
【実施例】
【００２６】
図１０，１３に示すように、上記したようにモータ装着ケース１を口部３２に装着した容器３１は、駆動軸２２又は軸４３にプロペラ４１を取り付け、容器本体３７に翼４２を取り付けることにより、飛行玩具４０として遊ぶことができる。軸４３が固定して取り付けられている場合には、軸４３に回動可能に取り付けられた平歯車４６とプロペラ４１を一体形成しても構わない。飛行玩具４０は、プロペラ４１を手で回すと、充電されたコンデンサによりモータ２１が駆動して、プロペラ４１が高速回転し、飛行させることができる。
【００２７】
図１１に示すように、上記したようにモータ装着ケース１を口部３２に装着した容器３１は、駆動軸２２に駆動歯車５１を取り付け、容器本体３７に一対の前輪５２，５２を備えた前軸５６と、一対の後輪５３，５３を備えた後軸５７を取り付けることにより、走行玩具５０として遊ぶことができる。走行玩具５０は、動力伝達軸５５を有する。動力伝達軸５５は、駆動歯車５１と噛み合う従動歯車６１と、前軸５６に固定された歯車６２と噛み合う前歯車６３と、後軸５７に固定された歯車６５と噛み合う後歯車６６とを有する。走行玩具５０は、前輪５２，５２、後輪５３，５３を接地させて前方に移動させると、充電されたコンデンサによりモータ２１が駆動して、前輪５２，５２、後輪５３，５３を強制的に回転させ、走行させることができる。なお、容器本体３７内にモータ２１の電源となる電池を収納させても良い。また、動力伝達軸５５の後部にスクリュープロペラ６７を設けることにより、走行玩具５０は、水陸両用玩具としても遊ぶことができる。
【産業上の利用可能性】
【００２８】
本願発明は、使用済みペットボトルを容器玩具として利用可能である。
【符号の説明】
【００２９】
１  モータ装着ケース
２  ケース本体
３  底壁
５  保持枠
６  係止縁
７  開口
１１  ガイド片
１２  ガイド片
１３  ガイド板
１５  係止孔
１６  軸受穴
１７  開口
１８  軸受突起
２１  モータ
２２  駆動軸
２３  一方の平坦面
２５  他方の平坦面
２６  取付枠
２７  係止突起
３１  容器
３２  口部
３３  上端
３５  キャップ
３６  透孔
３７  容器本体
３８  円孔
４０  飛行玩具
４１  プロペラ
４２  翼
４３  軸
４５  駆動歯車
４６  平歯車
４７  歯車機構
５０  走行玩具
５１  駆動歯車
５２  前輪
５３  後輪
５５  動力伝達軸
５６  前軸
５７  後軸
６１  従動歯車
６２  歯車
６３  前歯車
６５  歯車
６６  後歯車
６７  スクリュープロペラ
【図１】
2011193994.tif 000003
【図２】
2011193994.tif 000004
【図３】
2011193994.tif 000005
【図４】
2011193994.tif 000006
【図５】
2011193994.tif 000007
【図６】
2011193994.tif 000008
【図７】
2011193994.tif 000009
【図８】
2011193994.tif 000010
【図９】
2011193994.tif 000011
【図１０】
2011193994.tif 000012
【図１１】
2011193994.tif 000013
【図１２】
2011193994.tif 000014
【図１３】
2011193994.tif 000015